(57)【要約】      （修正有）【課題】シュシュなどの様々なアクセサリーに用いることが可能で滑り止め効果を発揮し、長い間使用しても滑り止め効果を持続できるとともに、デザイン上の制約の問題も解決することができるアクセサリー用生地を提供する。【解決手段】アクセサリー用の生地１１の表面にシリコン樹脂をシルクスクリーン印刷方法で塗布して乾燥させることにより任意の模様からなる滑り止め部材１２を形成する。滑り止め加工を施したアクセサリー用の生地１１が、シュシュ１０の使用者の頭髪が接触する領域に使用されている。【選択図】図１
0003166279.tif 000002
【実用新案登録請求の範囲】
【請求項１】
アクセサリー用生地の表面にシリコン樹脂をシルクスクリーン印刷方法で塗布して乾燥させることにより任意の模様からなる滑り止め部材を形成し、前記滑り止め部材はアクセサリーの使用者の少なくとも身体に接触する箇所に設けられていることを特徴とする滑り止め加工を施したアクセサリー用生地。
【請求項２】
請求項１に記載の滑り止め部材を構成する模様の厚みが０．２ｍｍ〜１．０ｍｍの範囲に設定されていることを特徴とする滑り止め加工を施したアクセサリー用生地。
【請求項３】
請求項１又は請求項２に記載の滑り止め加工を施したアクセサリー用生地がシュシュの使用者の頭髪が少なくとも接触する領域に使用されていることを特徴とする滑り止め加工を施したアクセサリー用生地を使用したシュシュ。
【請求項４】
請求項１又は請求項２に記載の滑り止め加工を施したアクセサリー用生地がカチューシャの使用者の頭髪が少なくとも接触する領域に使用されていることを特徴とする滑り止め加工を施したアクセサリー用生地を使用したカチューシャ。
【請求項５】
請求項１又は請求項２に記載の滑り止め加工を施したアクセサリー用生地がカチュームの使用者の頭髪が少なくとも接触する領域に使用されていることを特徴とする滑り止め加工を施したアクセサリー用生地を使用したカチューム。
【請求項６】
請求項１又は請求項２に記載の滑り止め加工を施したアクセサリー用生地がシューズバンドの使用者の足部が少なくとも接触する領域に使用されていることを特徴とする滑り止め加工を施したアクセサリー用生地を使用したシューズバンド。
【請求項７】
請求項１又は請求項２に記載の滑り止め加工を施したアクセサリー用生地がブラストラップの使用者の肌部が少なくとも接触する領域に使用されていることを特徴とする滑り止め加工を施したアクセサリー用生地を使用したブラストラップ。
【請求項８】
請求項１又は請求項２に記載の滑り止め加工を施したアクセサリー用生地がストール又はマフラーの少なくとも片面に使用されていることを特徴とする滑り止め加工を施したアクセサリー用生地を使用したストール又はマフラー。
【考案の詳細な説明】
【技術分野】
【０００１】
本考案は、滑り止め加工を施したアクセサリー用生地に関し、更には滑り止め加工を施したアクセサリー用生地を使用したシュシュ、カチューシャ、カチューム、シューズバンド、ブラストラップなどの身体に装着するアクセサリーに関する。
【背景技術】
【０００２】
従来より、髪を束ねるのにシュシュと呼ばれる髪束ね具が使用されている。シュシュは、伸縮可能なリング状をした布状体であり、中空リング状の飾り布の中に輪ゴムを通したものや、ゴム編みにした帯状のニットの両端部をリング状に縫い合せたものなどがある。
例えば、実用新案登録第３０３３３０６号公報（特許文献１）には、髪を束ねるパターンを増やすことにより装飾的効果を高められるようにすることを目的とし、筒状の布状体の両端をゴムヒモで絞って二つのゴム口を形成し、ゴム口に髪止めを係止可能な係止具を縫い付けたことを特徴とする髪束用シュシュの考案が提案されている。
また、実用新案登録第３１６１８８９号公報（特許文献２）には、装飾品としてだけでなく、洗髪後の髪の毛を迅速に乾燥させることができるようにする髪束用具を提供することを目的とし、吸水性に富んだ、少なくとも一枚の細長な生地を袋状にし、両端を縫合して短円筒形状としたリング体の一方端部内に、ゴム状の無端絞り紐を、一部を外部に導出させて周回させ、且つ孔を開設したストッパーの孔に前記導出された無端絞り紐を挿通したことを特徴とするシュシュの考案が提案されている。
しかし、シュシュに関していえば、その滑り止め効果を狙ったものは提案されておらず、市販されている商品自体に滑り止め部材等は取り付けられていないのが一般的である。
【０００３】
一方、カチューシャと呼ばれる略半円弧形のヘヤーバンドについては、その滑り止め効果を狙ったものがいくつか提案されている。
例えば、実開平６−５８８０１号公報（特許文献３）には、ヘヤーバンドの滑り止め用テープ、布製ヘヤーバンドにおいて表面滑り止めの付いたその効果の優れたもの、樹脂製ヘヤーバンドにおいてはより実効のある滑り止め付きヘヤーバンドの考案が提案されている。
また、実用新案登録第３１４１５４９号公報（特許文献４）には、三角巾を頭部に結ぶ手間を省き、カチューシャの頭皮接触面に丸みの突起部（滑り止め手段）を設けることで頭部に着用した三角巾付カチューシャのずれを防止することができ、三角巾をカチューシャから簡単に着脱自在とした三角巾付カチューシャの考案が提案されている。
しかし、滑り止め用テープを使用する場合は、ヘヤーバンド本体とは別個にテープを用意する必要があり、長い間使用しているとテープが剥がれてくるという問題を有している。また、頭皮接触面に丸みの突起部（滑り止め手段）を設ける場合は、その部分のデザインが制約されてしまうという問題がある。
【先行技術文献】
【特許文献】
【０００４】
【特許文献１】実用新案登録第３０３３３０６号公報
【特許文献２】実用新案登録第３１６１８８９号公報
【特許文献３】実開平６−５８８０１号公報
【特許文献４】実用新案登録第３１４１５４９号公報
【考案の概要】
【考案が解決しようとする課題】
【０００５】
そこで、本考案は、滑り止め加工を施したアクセサリー用生地に着目し、シュシュなどの様々なアクセサリーに用いることが可能で滑り止め効果を発揮し、長い間使用しても滑り止め効果を持続できるとともに、デザイン上の制約の問題も解決することができるアクセサリーを提供することを目的とする。
【課題を解決するための手段】
【０００６】
上記の課題を解決するために、請求項１に記載の考案は、アクセサリー用生地の表面にシリコン樹脂をシルクスクリーン印刷方法で塗布して乾燥させることにより任意の模様からなる滑り止め部材を形成し、前記滑り止め部材はアクセサリーの使用者の少なくとも身体に接触する箇所に設けられていることを特徴とする。
【０００７】
また、請求項２に記載の考案は、請求項１に記載の滑り止め部材を構成する模様の厚みが０．２ｍｍ〜１．０ｍｍの範囲に設定されていることを特徴とする。
【０００８】
また、請求項３に記載の考案は、請求項１又は請求項２に記載の滑り止め加工を施したアクセサリー用生地がシュシュの使用者の頭髪が少なくとも接触する領域に使用されていることを特徴とする。
【０００９】
また、請求項４に記載の考案は、請求項１又は請求項２に記載の滑り止め加工を施したアクセサリー用生地がカチューシャの使用者の頭髪が少なくとも接触する領域に使用されていることを特徴とする。
【００１０】
また、請求項５に記載の考案は、請求項１又は請求項２に記載の滑り止め加工を施したアクセサリー用生地がカチュームの使用者の頭髪が少なくとも接触する領域に使用されていることを特徴とする。
【００１１】
また、請求項６に記載の考案は、請求項１又は請求項２に記載の滑り止め加工を施したアクセサリー用生地がシューズバンドの使用者の足部が少なくとも接触する領域に使用されていることを特徴とする。
【００１２】
また、請求項７に記載の考案は、請求項１又は請求項２に記載の滑り止め加工を施したアクセサリー用生地がブラストラップの使用者の肌部が少なくとも接触する領域に使用されていることを特徴とする。
【００１３】
また、請求項８に記載の考案は、請求項１又は請求項２に記載の滑り止め加工を施したアクセサリー用生地がストール又はマフラーの少なくとも片面に使用されていることを特徴とする。
【考案の効果】
【００１４】
以上のように、本考案によれば、アクセサリー用生地の表面にシリコン樹脂をシルクスクリーン印刷方法で塗布して乾燥させることにより任意の模様からなる滑り止め部材を形成するようにしたので、滑り止め部材をアクセサリーの使用者の身体に接触する領域、具体的には、シュシュの使用者の頭髪が少なくとも接触する領域、カチューシャの使用者の頭髪が少なくとも接触する領域、カチュームの使用者の頭髪が少なくとも接触する領域、シューズバンドの使用者の足部が少なくとも接触する領域、ブラストラップの使用者の肌部が少なくとも接触する領域に使用することにより、様々なアクセサリーにおいて滑り止め効果を発揮することが可能になる。また、長い間使用しても滑り止め効果を持続できるとともに、デザイン上の制約の問題も解決することができる。
【図面の簡単な説明】
【００１５】
【図１】本考案にかかる滑り止め加工を施したアクセサリー用生地を使用したシュシュの一例を示す図である。
【図２】本考案にかかる滑り止め加工を施したアクセサリー用生地を使用したカチューシャの一例を示す図である。
【図３】本考案にかかる滑り止め加工を施したアクセサリー用生地を使用したカチュームの一例を示す図である。
【図４】本考案にかかる滑り止め加工を施したアクセサリー用生地を使用したシューズバンドの一例を示す図である。
【図５】本考案にかかる滑り止め加工を施したアクセサリー用生地を使用したブラストラップの一例を示す図である。
【図６】本考案にかかる滑り止め加工を施したアクセサリー用生地を使用したストールの一例を示す図である。
【考案を実施するための形態】
【００１６】
以下、本考案の実施の形態について図面を参酌しながら説明する。なお、本考案にかかる滑り止め加工を施したアクセサリー用生地及びそれを使用したアクセサリーは、以下の実施例に限定されるものではなく、滑り止め部材の形態はアクセサリーのデザインや素材等によって適宜変更することができる。
【００１７】
本考案は、アクセサリー（シュシュ、カチューシャ、カチューム、シューズバンド、ブラストラップなどの身体に装着するもの）に用いられる生地に対し、その表面上にシリコン樹脂をシルクスクリーン印刷方法で塗布して乾燥させることにより、水玉、花柄などの任意の模様からなる滑り止め部材（図１の符号１２、図２の符号２２、図３の符号３２、図４の符号４２、図５の符号５２、図６の符号６２）が形成されていることを特徴とする。
滑り止め部材を構成する模様の厚みは、シリコン樹脂の塗布と乾燥を繰り返すことにより厚くすることができる。この模様の厚みは、０．２ｍｍ〜１．０ｍｍの範囲に設定されているが、好ましくは０．５ｍｍ〜０．６ｍｍとするのが良い。
【００１８】
図１は、本考案にかかる滑り止め加工を施したアクセサリー用生地を使用したシュシュの一例を示す図である。シュシュとは、髪を束ねるためのアクセサリーのことをいう。
シュシュ１０は、上述した滑り止め部材１２が形成された生地１１を使用しており、その生地１１がシュシュの使用者の頭髪が少なくとも接触する領域（内部側）に使用されていることにより、滑り止め効果を発揮することができる。また、長い間使用しても滑り止め効果を持続できるとともに、デザイン上の制約の問題も解決することができる。
尚、シュシュの形態は、図１に示す内容に限定されるものではなく、ゴムを筒状の生地で覆っただけのもの、生地をダブルに縫ったもの、レース等でトレミングしたものなどが考えられる。
【００１９】
図２は、本考案にかかる滑り止め加工を施したアクセサリー用生地を使用したカチューシャの一例を示す図である。カチューシャとは、頭部に装着するアクセサリーのことをいう。
カチューシャ２０は、上述した滑り止め部材２２が形成された生地２１を使用しており、その生地２１がカチューシャの使用者の頭髪が少なくとも接触する領域（裏面側）に使用されていることにより、滑り止め効果を発揮することができる。また、長い間使用しても滑り止め効果を持続できるとともに、デザイン上の制約の問題も解決することができる。
尚、カチューシャ２０の裏面と表面の両方について、滑り止め部材２２が形成された生地２１で覆っても良い。
【００２０】
図３は、本考案にかかる滑り止め加工を施したアクセサリー用生地を使用したカチュームの一例を示す図である。カチュームとは、頭部に装着するアクセサリーのことをいう。
カチューム３０は、上述した滑り止め部材３２が形成された生地３１を使用しており、その生地３１がカチュームの使用者の頭髪が少なくとも接触する領域（裏面側）に使用されていることにより、滑り止め効果を発揮することができる。また、長い間使用しても滑り止め効果を持続できるとともに、デザイン上の制約の問題も解決することができる。
尚、カチュームの形態は、図３に示す内容に限定されるものではなく、ゴムがむき出しのもの、全体が生地で覆われたものなどが考えられる。カチューム３０の裏面と表面の両方について、滑り止め部材３２が形成された生地３１で覆っても良い。
【００２１】
図４は、本考案にかかる滑り止め加工を施したアクセサリー用生地を使用したシューズバンドの一例を示す図である。シューズバンドとは、パンプスやミュール等と足を固定するためのアクセサリーのことをいう。
シューズバンド４０は、上述した滑り止め部材４２が形成された生地４１を使用しており、その生地４１がシューズバンドの使用者の足部が少なくとも接触する領域（裏面側）に使用されていることにより、滑り止め効果を発揮することができる。また、長い間使用しても滑り止め効果を持続できる。
【００２２】
図５は、本考案にかかる滑り止め加工を施したアクセサリー用生地を使用したブラストラップの一例を示す図である。ブラストラップとは、ブラジャーに取り付けるアクセサリーのことをいう。
ブラストラップ５０は、上述した滑り止め部材５２が形成された生地５１を使用しており、その生地５１がブラストラップの使用者の肌部が少なくとも接触する領域（裏面側）に使用されていることにより、滑り止め効果を発揮することができる。また、長い間使用しても滑り止め効果を持続できる。
【００２３】
図６は、本考案にかかる滑り止め加工を施したアクセサリー用生地を使用したストールの一例を示す図である。ストールとは、婦人用の細長い肩掛けのことをいい、装身具として使用される。
ストール６０は、上述した滑り止め部材６２が形成された生地６１を使用しており、その生地６１が少なくとも片面に使用されていることにより、かがんだ時などにずれ落ちるのを防ぎ、滑り止め効果を発揮することができる。また、長い間使用しても滑り止め効果を持続できる。
尚、ストール６０の両面について、滑り止め部材６２が形成された生地６１を使用しても良い。また、ストールに限定されるものではなく、防寒用のマフラーに滑り止め加工を施したアクセサリー用生地を使用することができる。
【符号の説明】
【００２４】
１０  シュシュ
１１  生地
１２  滑り止め部材
２０  カチューシャ
２１  生地
２２  滑り止め部材
３０  カチューム
３１  生地
３２  滑り止め部材
４０  シューズバンド
４１  生地
４２  滑り止め部材
５０  ブラストラップ
５１  生地
５２  滑り止め部材
６０  ストール
６１  生地
６２  滑り止め部材
【図１】
0003166279.tif 000003
【図２】
0003166279.tif 000004
【図３】
0003166279.tif 000005
【図４】
0003166279.tif 000006
【図５】
0003166279.tif 000007
【図６】
0003166279.tif 000008